(57)【要約】【目的】緊急避難時に幼児の知識ではシートベルトを外すことができずに逃げ遅れるという可能性があったため、取り付けられていなかった。また、所有者が検討する際、車両の買い替えや座席の交換などはコストも掛かり検討するにも安易なことではないのではと思い本発明はこの課題を解消するためになされたものである。【構成】請求項１に記載のチャイルドシートは、底面が開放された袋状のシートカバーに、上部が開放された箱体を取り付けたカバー体と、前身頃、後ろ身頃、首穴部及び左右の袖穴部を有するジャケットに、胴ベルトと肩ベルトを取り付けると共に、前身頃側において連結自在な連結部材を胴ベルトの両端に取付け、該連結部材に肩ベルトの端部を固定し、ジャケットの後ろ身頃側にＬ字状に突出した片部を備えた係止板材を設けると共に、該係止板材に胴ベルト及び肩ベルトを固定した被服体とにより構成した。【選択図】        図１
2020001412.tif 000002
【特許請求の範囲】
【請求項１】
底面が開放された袋状のシートカバーに、上部が開放された箱体を取り付けたカバー体と、
前身頃、後ろ身頃、首穴部及び左右の袖穴部を有するジャケットに、胴ベルトと肩ベルトを取り付けると共に、前身頃側において連結自在な連結部材を胴ベルトの両端に取付け、該連結部材に肩ベルトの端部を固定し、ジャケットの後ろ身頃側にＬ字状に突出した片部を備えた係止板材を設けると共に、該係止板材に胴ベルト及び肩ベルトを固定した被服体と、
により成るチャイルドシート。
【発明の詳細な説明】
【技術分野】
【０００１】
本発明は幼稚園や保育所が所有する送迎バスの後部座席その他の座席に取り付けるチャイルドシートに関するものである。
【背景技術】
【０００２】
幼稚園や保育園の送迎バスの後部座その他の座席には緊急時に速やかに避難できるようにするため、シートベルトやチャイルドシートは設けられていないのが通常である。
【０００３】
特許文献１には座席に一対のレールを設けると共に、該レールに差し込み可能な二本のベルトをクロス状に設け、該ベルトに身体掛け布部を設けたチャイルドシートが開示されている。
【先行技術文献】
【特許文献】
【０００４】
【特許文献１】登録実用新案公報第３２０１４１９号
【発明の開示】
【発明が解決しようとする課題】
【０００５】
送迎バスの後部座席にシートベルトが取付られていないことは安全上良くないというのは容易に想像がつくことだが、今までは緊急避難時に幼児の知識ではシートベルトを外すことができずに逃げ遅れるという可能性があったため、取り付けられていなかった。
【０００６】
また、所有者が検討する際、車両の買い替えや座席の交換などはコストも掛かり検討するにも安易なことではないのではと思い本発明はこの課題を解消するためになされたものである。
【課題を解決するための手段】
【０００７】
上記の目的を達成する本発明の構成は以下の通りである。
【０００８】
請求項１に記載のチャイルドシートは、底面が開放された袋状のシートカバーに、上部が開放された箱体を取り付けたカバー体と、前身頃、後ろ身頃、首穴部及び左右の袖穴部を有するジャケットに、胴ベルトと肩ベルトを取り付けると共に、前身頃側において連結自在な連結部材を胴ベルトの両端に取付け、該連結部材に肩ベルトの端部を固定し、ジャケットの後ろ身頃側にＬ字状に突出した片部を備えた係止板材を設けると共に、該係止板材に胴ベルト及び肩ベルトを固定した被服体とにより構成した。
【発明の効果】
【０００９】
上記のように構成される本発明が、如何に作用して課題を解決するかを図面を参照しながら概説する。
【００１０】
本発明に係るチャイルドシート１は、図１乃至図４に示されるカバー体１０と、図５や図６に示される被服体２０とにより構成される。図８に示すようにバス等の座席２の背凭れ部にカバー本体１０を被せて使用するものである。
【００１１】
幼児その他のチャイルドシート１の利用者は、被服体２０を着用したうえで、カバー本体１０が被せられた送迎バス等の後部座席その他の座席に着座するものである。
【００１２】
カバー本体１０には上部が開放された箱体１１が取り付けられており、被服体２０の背面に取り付けられた係止板材３０の片部３１が、箱体１１内に嵌まり込む構造となっている。かかる構造ゆえに、被服体２０を着用した幼児は、座席に固定されることになり、事故や急ブレーキ、急ハンドル等の衝撃が発生した際に、身体が吹き飛ぶといった事態を防ぐことが可能となるのである。一方、座席から離れ社外に避難しなければならないような緊急時には、立ち上がれば箱体１０と片部３１は離脱するので、被服体２０を着用したまま容易に避難が可能となるのである。
【００１３】
また、本発明によれば既存の座席に被せるだけで装着可能であり、つまりは車両や座席の交換によらずに装着可能であり低コストで幼児等の安全を図ることができるものである
。
【図面の簡単な説明】
【００１４】
【図１】カバー体の正面図
【図２】同、平面図
【図３】同、底面図
【図４】Ａ‐Ａ線断面図
【図５】被服体の正面図
【図６】同、背面図
【図７】係止板材近傍の拡大説明斜視図
【図８】本発明に係るチャイルドシートの斜視図
【発明を実施するための形態】
【００１５】
以下、好ましい本発明の実施形態につき、図面を参照しながら概説する。なお、本発明構成要素の実施形態は下記の実施形態に何ら限定されることはなく、本発明の技術的範囲に属する限り種々の形態を採りうる。
【００１６】
図１乃至図４に示されるようにカバー体１０は、その底面が開放され開口部１２と成る袋状のシートカバーである。素材は樹脂や布等を利用可能であるが、衝撃を受けた際の着用者の身体が移動する力で破損しない程度の強度を備えたもので形成する必要がある。
【００１７】
カバー体１０には上部に開口部１１ａを備えた箱体１１が１個乃至複数個取り付けてある。箱体１０は樹脂や金属等を素材として形成可能であるが、衝撃を受けた際の着用者の身体が移動する力で破損しない程度の強度を備えた素材で構成する必要がある。
【００１８】
被服体２０は図５や図６に示すように、前身頃２１、後ろ身頃２２、着用者の首を通す首穴部２３及び着用者の腕を通す左右の袖穴２４部を有するジャケットに、胴ベルト２５と二本の肩ベルト２６，２６を取り付けると共に、前身頃２１側において連結自在な連結部材２７ａ，２７ｂを胴ベルト２５の両端に取付け、該連結部材２７ａ，２７ｂに肩ベル２６トの端部を固定し、ジャケットの後ろ身頃２２側にＬ字状に突出した片部３１を備えた係止板材３０を設けると共に、該係止板材３０に胴ベルト２５及び肩ベルト２６を固定してある。
【００１９】
上記前身頃２１、後ろ身頃２２は、素材として樹脂や布等を利用可能であるが、衝撃を受けた際の着用者の身体が移動する力で破損しない程度の強度を備えたもので形成する必要がある。
【００２０】
胴ベルト２５、肩ベルト２６はいずれも一般的なシートベルトに使われる素材、例えば引張り強さに優れたポリエステル繊維を編んで、帯（ウェビング）を作ったものである。
【００２１】
胴ベルト２５は両端に、それぞれ連結部材２７ａ，２７ｂが取り付けてある。連結部材２７ａとしては受け側金具（バックル）を、連結部材２７ｂとしては金属製タングなどを利用可能である。胴ベルト２６は、ジャケットにその両端を逢着された長方形状の布片２８内に緩挿する形態で、ジャケットに装着されている。
【００２２】
肩ベルト２６，２６のうち一方の肩ベルト２６は一方端を連結部材２７ａに固定されており、他方端は係止板材３０に固定してある。他方の肩ベルト２６は、一方端を連結部材２７ｂに固定されており、他方端は係止板材３０に固定してある。肩ベルト２６は、ジャケットにその両端を逢着された長方形状の布片２８内に緩挿する形態で、ジャケットに装着されている。
【００２３】
被服体２０の後ろ身頃２２には、図７に示すようにＬ字状に突出した直方体形状の片部３１を備えた係止板材３０が取り付けられている。係止板材３０の素材は樹脂や金属等を利用可能であるが、衝撃を受けた際の着用者の身体が移動する力で破損しない程度の強度を備えたもので形成する必要がある。
【符号の説明】
【００２４】
１・・チャイルドシート
１０・・カバー体
１１・・箱体
１１ａ・・開口部
１２・・開口部
２０・・被服体
２１・・前身頃
２２・・後ろ身頃
２３・・首穴部
２４・・袖穴部
２５・・胴ベルト
２６・・肩ベルト
２７ａ，２７ｂ・・連結部材
２８・・布片
３０・・係止板材
３１・・片部
【図１】
2020001412.tif 000003
【図２】
2020001412.tif 000004
【図３】
2020001412.tif 000005
【図４】
2020001412.tif 000006
【図５】
2020001412.tif 000007
【図６】
2020001412.tif 000008
【図７】
2020001412.tif 000009
【図８】
2020001412.tif 000010
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
底面が開放された袋状のシートカバーに、上部が開放された箱体を取り付けたカバー体と、
前身頃、後ろ身頃、首穴部及び左右の袖穴部を有するジャケットに、胴ベルトと肩ベルトを取り付けると共に、前身頃側において連結自在な連結部材を胴ベルトの両端に取付け、該連結部材に肩ベルトの端部を固定し、ジャケットの後ろ身頃側にＬ字状に突出し前記箱体に嵌め込むことが可能な片部を備えた係止板材を設けると共に、該係止板材に胴ベルト及び肩ベルトを固定した被服体と、
により成るチャイルドシート。